(57)【要約】【課題】端末機の状態情報を管理する方法及び端末機の構成メニュー操作に際して、端末機の状態情報に応じて使用者が選択したメニューを活性化または非活性化して表示する方法を提供する。【解決手段】移動通信端末機のメニュー表示方法は、第１レジスタ及び第２レジスタを管理する過程と、第１レジスタ値及び第２レジスタ値を論理演算して選択されたメニューの非活性化可否を判断する過程と、前記判断によって端末機の表示装置にメニューを表示する過程と、を含む。【選択図】図３
2006191560.tif 000002
【特許請求の範囲】
【請求項１】
移動通信端末機のメニュー表示方法において、
第１レジスタ及び第２レジスタを管理する過程と、
第１レジスタ値及び第２レジスタ値を論理演算して選択されたメニューの非活性化可否を判断する過程と、
前記判断によって端末機の表示装置にメニューを表示する過程と、
を含むことを特徴とする移動通信端末機の状態情報によるメニュー表示方法。
【請求項２】
前記第１及び第２レジスタは、同一数のビットであり、少なくとも１つ以上のビットから構成されたことを特徴とする請求項１に記載の移動通信端末機の状態情報によるメニュー表示方法。
【請求項３】
第１レジスタは、前記端末機の現在状態によって前記レジスタの各該当情報ビットを‘１’または‘０’にマスキングして管理することを特徴とする請求項１に記載の移動通信端末機の状態情報によるメニュー表示方法。
【請求項４】
第１レジスタの各情報ビットは、前記端末機の現在状態と関連した情報を有することを特徴とする請求項３に記載の移動通信端末機の状態情報によるメニュー表示方法。
【請求項５】
第２レジスタは、前記端末機の各メニューが前記第１レジスタのどの情報ビットと関連しているかを定義するレジスタから構成されたことを特徴とする請求項１に記載の移動通信端末機の状態情報によるメニュー表示方法。
【請求項６】
第２レジスタは、前記端末機の各メニューに該当するメニュー出力定義を管理することを特徴とする請求項１に記載の移動通信端末機の状態情報によるメニュー表示方法。
【請求項７】
前記メニュー出力定義は、前記端末機の各出力メニューに該当する端末機の状態情報が含まれていることを特徴とする請求項６に記載の移動通信端末機の状態情報によるメニュー表示方法。
【請求項８】
前記メニュー出力定義は、端末機の状態情報として少なくとも１つ以上のビット数によって表現されることを特徴とする請求項７に記載の移動通信端末機の状態情報によるメニュー表示方法。
【請求項９】
前記第１レジスタ値及び第２レジスタ値が、前記論理演算のためにローディングされる過程をさらに含むことを特徴とする請求項１に記載の移動通信端末機の状態情報によるメニュー表示方法。
【請求項１０】
前記第２レジスタ値は、前記端末機のメニューのうち使用者が選択したメニューのメニュー出力定義に該当する端末機の状態情報を含むことを特徴とする請求項９に記載の移動通信端末機の状態情報によるメニュー表示方法。
【請求項１１】
前記論理演算は、第１レジスタ値と第２レジスタ値をＡＮＤ演算する過程を含むことを特徴とする請求項１に記載の移動通信端末機の状態情報によるメニュー表示方法。
【請求項１２】
前記論理演算は、前記ＡＮＤ演算の結果値をＯＲ演算する過程をさらに含むことを特徴とする請求項１１に記載の移動通信端末機の状態情報によるメニュー表示方法。
【請求項１３】
前記選択されたメニューの非活性可否は、前記第１及び第２レジスタ値の論理演算の結果値によって判断されることを特徴とする請求項１に記載の移動通信端末機の状態情報によるメニュー表示方法。
【請求項１４】
前記論理演算の結果値は、‘１’または‘０’の値を有する１つのビット値から構成されることを特徴とする請求項１３に記載の移動通信端末機の状態情報によるメニュー表示方法。
【請求項１５】
前記選択されたメニューの非活性可否は、前記論理演算結果値が‘１’であると、使用者が選択したメニューが非活性メニューであると判断され、前記論理演算結果値が‘０’であると、使用者が選択したメニューが活性メニューであると判断されることを特徴とする請求項１３に記載の移動通信端末機の状態情報によるメニュー表示方法。
【請求項１６】
前記メニューの表示は、使用者が選択したメニューが非活性メニューであると判断されると、前記選択されたメニューを非活性化し、前記端末機の表示装置に警告メッセージを出力することを特徴とする請求項１に記載の移動通信端末機の状態情報によるメニュー表示方法。
【請求項１７】
前記警告メッセージは、第１レジスタのビットのうちいずれか１つのビットに該当する端末機状態情報を示すメッセージであることを特徴とする請求項１６に記載の移動通信端末機の状態情報によるメニュー表示方法。
【請求項１８】
移動通信端末機のメニュー表示方法において、
端末機の状態情報を利用して、選択されたメニューの活性または非活性可否を判断し、前記判断結果、非活性であると判断されると、前記選択されたメニューを非活性化し、該当警告メッセージを表示装置に表示することを特徴とする移動通信端末機の状態情報によるメニュー表示方法。
【請求項１９】
前記端末機の状態情報は、第１レジスタ及び第２レジスタにおいて管理されることを特徴とする請求項１８に記載の移動通信端末機の状態情報によるメニュー表示方法。
【請求項２０】
第１レジスタは、前記端末機の現在状態によって前記レジスタの各該当情報ビットが‘１’にフラッグされることを特徴とする請求項１９に記載の移動通信端末機の状態情報によるメニュー表示方法。
【請求項２１】
第１レジスタの各情報ビットは、前記端末機の現在状態と関連した情報を有することを特徴とする請求項２０に記載の移動通信端末機の状態情報によるメニュー表示方法。
【請求項２２】
第２レジスタは、前記端末機の各メニューが前記第１レジスタのどの情報ビットと関連しているかを定義するレジスタから構成されたことを特徴とする請求項１９に記載の移動通信端末機の状態情報によるメニュー表示方法。
【請求項２３】
第２レジスタは、前記端末機の各メニューに該当するメニュー出力定義を管理することを特徴とする請求項２２に記載の移動通信端末機の状態情報によるメニュー表示方法。
【請求項２４】
前記選択されたメニューには、メニューの操作による全体メニュー、細部メニュー及び特定メニューが含まれることを特徴とする請求項１８に記載の移動通信端末機の状態情報によるメニュー表示方法。
【請求項２５】
前記選択されたメニューの非活性化可否は、使用者の選択によって出力されるメニューと端末機の現在状態との相関性有無によって判断されることを特徴とする請求項１８に記載の移動通信端末機の状態情報によるメニュー表示方法。
【請求項２６】
前記選択されたメニューの非活性化可否は、前記第１レジスタと第２レジスタの現在値を論理演算することで前記相関性が判断されることを特徴とする請求項２５に記載の移動通信端末機の状態情報によるメニュー表示方法。
【請求項２７】
前記論理演算は、前記第１レジスタと前記第２レジスタの現在値を相応する各ビット間にＡＮＤ演算し、また、前記ＡＮＤ演算の結果値をＯＲ演算することで遂行されることを特徴とする請求項２６に記載の移動通信端末機の状態情報によるメニュー表示方法。
【請求項２８】
前記選択されたメニューの非活性化可否は、前記論理演算の最終結果値が‘１’であると、前記選択されたメニューが非活性であると判断されることを特徴とする請求項２６に記載の移動通信端末機の状態情報によるメニュー表示方法。
【請求項２９】
移動通信端末機のメニュー表示方法において、
端末機の現在作動状態によって端末機の状態情報が管理されることを特徴とする移動通信端末機の状態情報によるメニュー表示方法。
【請求項３０】
前記状態情報は、レジスタによって管理されることを特徴とする請求項２９に記載の移動通信端末機の状態情報によるメニュー表示方法。
【請求項３１】
前記レジスタは、１つの作動状態と関連した情報を管理する少なくとも１つの情報ビットから構成されたことを特徴とする請求項３０に記載の移動通信端末機の状態情報によるメニュー表示方法。
【請求項３２】
前記レジスタは、前記端末機の現在状態によって前記レジスタの各該当情報ビットを‘１’または‘０’にマスキングして管理することを特徴とする請求項３０に記載の移動通信端末機の状態情報によるメニュー表示方法。
【発明の詳細な説明】
【技術分野】
【０００１】
本発明は、移動通信端末機のメニュー表示方法に関し、特に、移動通信端末機の状態情報によってメニューを表示する方法に関する。
【背景技術】
【０００２】
移動通信端末機の使用者数の急速な増加と共に、使用者の要求に応じて移動通信端末機（以下、端末機と称する）のデザイン及びその機能が多様になっている。特に、端末機の多様な機能は、関連メニュー項目別に体系的に構成されており、使用者は、端末機に構成されたメニューの操作によって自分の所望する機能を設定または解除することができる。
【０００３】
図５は、従来の技術による端末機のメニュー構成画面の例を示す。一般的に、メニューの構成は、関連のあるメニュー項目別に体系的に構成されいて、使用者は、所望の特定メニューの機能設定のために、待機画面でメニューボタンを押して全体メニュー、細部メニュー、特定メニューの順に進入する。従って、使用者は、順次に表示装置（例えば、ＬＣＤ）に出力される前記メニューの該当メニュー画面から所望の特定メニューの機能を設定することができる。以下、使用者がカメラ付きの端末機を利用して写真を撮影して端末機のメモリに貯蔵する場合を例として説明する。
【０００４】
図５に示すように、まず、使用者が待機画面状態（図５の（ａ））で端末機のキーパッドのメニューボタンを押すと、包括的なメニューを提供する全体メニュー画面（図５の（ｂ））が端末機の表示装置に活性化されて出力される。また、使用者が全体メニュー画面で細部メニュー（カメラ）を選択すると、細部メニュー画面（図５の（ｃ））が表示装置に活性化されて出力される。次に、使用者が前記出力された細部メニュー画面で特定メニュー（写真撮影）を選択すると、前記端末機が被写体を撮影した後に特定メニュー画面（図５の（ｄ））が活性化されて出力される。次に、使用者は、前記特定メニュー画面で提供する特定メニュー（メモリに貯蔵）を選択して撮影した写真を端末機のメモリに貯蔵するように設定することができる。
【０００５】
しかしながら、このような従来の端末機のメニュー表示によるメニュー操作は、端末機の状態によって不便になる可能性があるという問題点がある。例えば、現在端末機のメモリがフル（ｍｅｍｏｒｙ  ｆｕｌｌ）状態であるため、メモリにデータを貯蔵する余裕空間がないと仮定して説明する。この場合、前記メモリに貯蔵されているデータを削除して余裕空間を確保しないと、撮影した写真をメモリに貯蔵することができない。従って、端末機の現在状態（メモリフル）で前記特定メニュー（メモリに貯蔵）を選択しても、前記特定メニューは、端末機の現在状態（メモリフル）で実行できない機能であるため、エラーメッセージが出力される。即ち、端末機の状態情報を考慮せずに、使用者のメニュー操作によって選択されたメニュー画面が活性化されて出力されるため、使用者は無意味なメニュー操作をするようになるという問題点がある。
【発明の開示】
【発明が解決しようとする課題】
【０００６】
従って、本発明の目的は、端末機の状態情報を管理する方法を提供することにある。
【０００７】
本発明の他の目的は、端末機の構成メニュー操作に際して、端末機の状態情報に応じて使用者が選択したメニューを活性化または非活性化して表示する方法を提供することにある。
【課題を解決するための手段】
【０００８】
このような目的を達成するために、本発明による移動通信端末機のメニュー表示方法は、第１レジスタ及び第２レジスタを管理する過程と、第１レジスタ値及び第２レジスタ値を論理演算して選択されたメニューの非活性化可否を判断する過程と、前記判断によって端末機の表示装置にメニューを表示する過程と、を含むことを特徴とする。
【０００９】
望ましくは、前記第１及び第２レジスタは、同一数のビットであり、少なくとも１つ以上のビットから構成される。
【００１０】
望ましくは、第１レジスタは、前記端末機の状態によって前記レジスタの該当情報ビットを‘１’または‘０’にマスキングして管理する。
【００１１】
望ましくは、第２レジスタは、前記端末機の各メニューに該当するメニュー出力定義を管理する。
【００１２】
望ましくは、前記メニュー出力定義は、端末機の状態情報として少なくとも１つ以上のビット数によって表現される。
【００１３】
望ましくは、前記第１レジスタ値及び第２レジスタ値が、前記論理演算のためにローディングされる過程をさらに含む。
【００１４】
望ましくは、前記第１レジスタ値は、前記端末機の現在の状態情報を含む。
【００１５】
望ましくは、前記第２レジスタ値は、前記端末機のメニューのうち使用者が選択したメニューのメニュー出力定義に該当する端末機の状態情報を含む。
【００１６】
望ましくは、前記論理演算は、第１レジスタと第２レジスタを相応する各ビット間にＡＮＤ演算し、また、前記ＡＮＤ演算の結果値をＯＲ演算する過程をさらに含む。
【００１７】
望ましくは、前記選択されたメニューの非活性可否は、前記論理演算結果値が‘１’であると、使用者が選択したメニューが非活性メニューであると判断される。
【００１８】
望ましくは、前記メニューの表示は、使用者が選択したメニューが非活性メニューであると判断されると、前記選択されたメニューを非活性化し、前記端末機の表示装置に警告メッセージを出力する。
【００１９】
上記目的を達成するために、本発明は、例えば、以下の手段を提供する。
【００２０】
（項目１）  移動通信端末機のメニュー表示方法において、
第１レジスタ及び第２レジスタを管理する過程と、
第１レジスタ値及び第２レジスタ値を論理演算して選択されたメニューの非活性化可否を判断する過程と、
前記判断によって端末機の表示装置にメニューを表示する過程と、
を含むことを特徴とする移動通信端末機の状態情報によるメニュー表示方法。
【００２１】
（項目２）  前記第１及び第２レジスタは、同一数のビットであり、少なくとも１つ以上のビットから構成されたことを特徴とする請求項１に記載の移動通信端末機の状態情報によるメニュー表示方法。
【００２２】
（項目３）  第１レジスタは、前記端末機の現在状態によって前記レジスタの各該当情報ビットを‘１’または‘０’にマスキングして管理することを特徴とする請求項１に記載の移動通信端末機の状態情報によるメニュー表示方法。
【００２３】
（項目４）  第１レジスタの各情報ビットは、前記端末機の現在状態と関連した情報を有することを特徴とする請求項３に記載の移動通信端末機の状態情報によるメニュー表示方法。
【００２４】
（項目５）  第２レジスタは、前記端末機の各メニューが前記第１レジスタのどの情報ビットと関連しているかを定義するレジスタから構成されたことを特徴とする請求項１に記載の移動通信端末機の状態情報によるメニュー表示方法。
【００２５】
（項目６）  第２レジスタは、前記端末機の各メニューに該当するメニュー出力定義を管理することを特徴とする請求項１に記載の移動通信端末機の状態情報によるメニュー表示方法。
【００２６】
（項目７）  前記メニュー出力定義は、前記端末機の各出力メニューに該当する端末機の状態情報が含まれていることを特徴とする請求項６に記載の移動通信端末機の状態情報によるメニュー表示方法。
【００２７】
（項目８）  前記メニュー出力定義は、端末機の状態情報として少なくとも１つ以上のビット数によって表現されることを特徴とする請求項７に記載の移動通信端末機の状態情報によるメニュー表示方法。
【００２８】
（項目９）  前記第１レジスタ値及び第２レジスタ値が、前記論理演算のためにローディングされる過程をさらに含むことを特徴とする請求項１に記載の移動通信端末機の状態情報によるメニュー表示方法。
【００２９】
（項目１０）  前記第２レジスタ値は、前記端末機のメニューのうち使用者が選択したメニューのメニュー出力定義に該当する端末機の状態情報を含むことを特徴とする請求項９に記載の移動通信端末機の状態情報によるメニュー表示方法。
【００３０】
（項目１１）  前記論理演算は、第１レジスタ値と第２レジスタ値をＡＮＤ演算する過程を含むことを特徴とする請求項１に記載の移動通信端末機の状態情報によるメニュー表示方法。
【００３１】
（項目１２）  前記論理演算は、前記ＡＮＤ演算の結果値をＯＲ演算する過程をさらに含むことを特徴とする請求項１１に記載の移動通信端末機の状態情報によるメニュー表示方法。
【００３２】
（項目１３）  前記選択されたメニューの非活性可否は、前記第１及び第２レジスタ値の論理演算の結果値によって判断されることを特徴とする請求項１に記載の移動通信端末機の状態情報によるメニュー表示方法。
【００３３】
（項目１４）  前記論理演算の結果値は、‘１’または‘０’の値を有する１つのビット値から構成されることを特徴とする請求項１３に記載の移動通信端末機の状態情報によるメニュー表示方法。
【００３４】
（項目１５）  前記選択されたメニューの非活性可否は、前記論理演算結果値が‘１’であると、使用者が選択したメニューが非活性メニューであると判断され、前記論理演算結果値が‘０’であると、使用者が選択したメニューが活性メニューであると判断されることを特徴とする請求項１３に記載の移動通信端末機の状態情報によるメニュー表示方法。
【００３５】
（項目１６）  前記メニューの表示は、使用者が選択したメニューが非活性メニューであると判断されると、前記選択されたメニューを非活性化し、前記端末機の表示装置に警告メッセージを出力することを特徴とする請求項１に記載の移動通信端末機の状態情報によるメニュー表示方法。
【００３６】
（項目１７）  前記警告メッセージは、第１レジスタのビットのうちいずれか１つのビットに該当する端末機状態情報を示すメッセージであることを特徴とする請求項１６に記載の移動通信端末機の状態情報によるメニュー表示方法。
【００３７】
（項目１８）  移動通信端末機のメニュー表示方法において、
端末機の状態情報を利用して、選択されたメニューの活性または非活性可否を判断し、前記判断結果、非活性であると判断されると、前記選択されたメニューを非活性化し、該当警告メッセージを表示装置に表示することを特徴とする移動通信端末機の状態情報によるメニュー表示方法。
【００３８】
（項目１９）  前記端末機の状態情報は、第１レジスタ及び第２レジスタにおいて管理されることを特徴とする請求項１８に記載の移動通信端末機の状態情報によるメニュー表示方法。
【００３９】
（項目２０）  第１レジスタは、前記端末機の現在状態によって前記レジスタの各該当情報ビットが‘１’にフラッグされることを特徴とする請求項１９に記載の移動通信端末機の状態情報によるメニュー表示方法。
【００４０】
（項目２１）  第１レジスタの各情報ビットは、前記端末機の現在状態と関連した情報を有することを特徴とする請求項２０に記載の移動通信端末機の状態情報によるメニュー表示方法。
【００４１】
（項目２２）  第２レジスタは、前記端末機の各メニューが前記第１レジスタのどの情報ビットと関連しているかを定義するレジスタから構成されたことを特徴とする請求項１９に記載の移動通信端末機の状態情報によるメニュー表示方法。
【００４２】
（項目２３）  第２レジスタは、前記端末機の各メニューに該当するメニュー出力定義を管理することを特徴とする請求項２２に記載の移動通信端末機の状態情報によるメニュー表示方法。
【００４３】
（項目２４）  前記選択されたメニューには、メニューの操作による全体メニュー、細部メニュー及び特定メニューが含まれることを特徴とする請求項１８に記載の移動通信端末機の状態情報によるメニュー表示方法。
【００４４】
（項目２５）  前記選択されたメニューの非活性化可否は、使用者の選択によって出力されるメニューと端末機の現在状態との相関性有無によって判断されることを特徴とする請求項１８に記載の移動通信端末機の状態情報によるメニュー表示方法。
【００４５】
（項目２６）  前記選択されたメニューの非活性化可否は、前記第１レジスタと第２レジスタの現在値を論理演算することで前記相関性が判断されることを特徴とする請求項２５に記載の移動通信端末機の状態情報によるメニュー表示方法。
【００４６】
（項目２７）  前記論理演算は、前記第１レジスタと前記第２レジスタの現在値を相応する各ビット間にＡＮＤ演算し、また、前記ＡＮＤ演算の結果値をＯＲ演算することで遂行されることを特徴とする請求項２６に記載の移動通信端末機の状態情報によるメニュー表示方法。
【００４７】
（項目２８）  前記選択されたメニューの非活性化可否は、前記論理演算の最終結果値が‘１’であると、前記選択されたメニューが非活性であると判断されることを特徴とする請求項２６に記載の移動通信端末機の状態情報によるメニュー表示方法。
【００４８】
（項目２９）  移動通信端末機のメニュー表示方法において、
端末機の現在作動状態によって端末機の状態情報が管理されることを特徴とする移動通信端末機の状態情報によるメニュー表示方法。
【００４９】
（項目３０）  前記状態情報は、レジスタによって管理されることを特徴とする請求項２９に記載の移動通信端末機の状態情報によるメニュー表示方法。
【００５０】
（項目３１）  前記レジスタは、１つの作動状態と関連した情報を管理する少なくとも１つの情報ビットから構成されたことを特徴とする請求項３０に記載の移動通信端末機の状態情報によるメニュー表示方法。
【００５１】
（項目３２）  前記レジスタは、前記端末機の現在状態によって前記レジスタの各該当情報ビットを‘１’または‘０’にマスキングして管理することを特徴とする請求項３０に記載の移動通信端末機の状態情報によるメニュー表示方法。
【発明の効果】
【００５２】
本発明は、端末機の現在状態情報を利用して使用者が選択したメニューが活性化できるメニューであるか否かを判断し、前記選択されたメニューが非活性メニューである場合、前記選択されたメニューを非活性化し、表示装置に警告メッセージを出力する。従って、使用者が選択したメニューが実行可能なメニューであるか否かを予め分かるため、本発明は、使用者に不必要なメニュー操作なしにメニュー操作の簡潔性及び便宜性を提供するという効果がある。
【発明を実施するための最良の形態】
【００５３】
本発明は、端末機の状態情報に応じて使用者が選択したメニューを非活性化または活性化して表示する端末機によって具現される。しかしながら、本発明は、他の標準によって動作する無線通信端末機にも適用されることができる。
【００５４】
一般的に、使用者は、端末機のメニュー操作に際して、全体メニューから細部メニュー、特定メニューの順に所望するメニューを選択する。しかしながら、使用者が選択したメニューが端末機の現在状態と相反する動作であるか否かを直ちに分からないため、不要なメニュー操作を行なう場合がある。従って、本発明は、端末機の現在状態情報を利用して使用者が選択した特定メニューが活性化できるメニューであるか否かを判断し、前記選択されたメニューが非活性メニューである場合は、前記選択されたメニューを非活性化し、前記表示装置に警告メッセージを出力することによって、使用者が不要なメニュー操作をすることを防止する便宜性を提供する。
【００５５】
このような本発明の実現のために、端末機の状態を管理し得るレジスタ及び端末機の各該当メニューが前記レジスタの各情報ビットのどのビットと関連しているかを定義するレジスタを備えるべきである。
【００５６】
また、本発明による端末機は、基本的に本発明を実施するソフトウェアとしてプログラムと、ハードウェアとして前記プログラムを遂行して前記レジスタを制御及び演算するマイクロプロセッサ（ＭＰＵ）、前記プログラム及びレジスタ値などのデータが貯蔵される記憶装置、使用者が選択した端末機のメニューまたは警告メッセージを表示する出力表示装置（例：ＬＣＤ）及び使用者が特定メニューを選択及び設定するための入力装置（例：キーパッド）などを含む。
【００５７】
図１は、本発明による端末機の状態を表現する３ビットから構成されたレジスタの一例で、図２は、本発明による３ビットから構成されたメニュー出力定義レジスタの一例である。図１及び図２を参照して、前記レジスタの機能を詳細に説明する。
【００５８】
図１を参照すると、端末機状態表現レジスタ（以下、第１レジスタと称する）の各ビットが端末機の現在状態によって‘１’または‘０’の値に設定され、それぞれのビットは端末機の現在状態と関連した情報を有する。即ち、前記レジスタの最上位ビット（Ｍｏｓｔ  ｓｉｇｎｉｆｉｃａｎｔ  ｂｉｔ：  ＭＳＢ）は、サイレントモード（Ｓｉｌｅｎｔ  ｍｏｄｅ）などのベル状態情報を表し、第２ビットは、端末機が受信不可地域（Ｎｏ  ｓｅｒｖｉｃｅ  ａｒｅａ）にあるか否かに関する通話状態情報を表す。また、前記レジスタの最下位ビット（Ｌｅａｓｔ  ｓｉｇｎｉｆｉｃａｎｔ  ｂｉｔ：  ＬＳＢ）は、メモリの余裕貯蔵空間と関連したメモリ状態情報を表す。例えば、前記レジスタの現在値が‘１１０’に設定された場合、端末機の現在状態は、サイレントモード（Ｓｌｉｎｅｔ  ｍｏｄｅ）で、使用者が基地局と受信不可地域にあるが、端末機のメモリはこれ以上データを貯蔵する余裕空間のないメモリフル（Ｍｅｍｏｒｙ  ｆｕｌｌ）状態ではない。
【００５９】
メニュー出力定義レジスタ（以下、第２レジスタラする）は、端末機に構成された各メニューが第１レジスタのビットのうちどのビットの状態情報と相関性があるかを定義するレジスタである。即ち、前記第２レジスタは、第１レジスタの状態情報（サイレントモード、受信不可地域、メモリフル）のうち１つの状態情報である。図２を参照すると、端末機の構成メニューのうちカメラ写真貯蔵は、第２レジスタの値が‘００１’で、第１レジスタの状態情報のうちメモリと相関性があるメニューとして定義される。通話連結及びインターネット接続メニューは、第２レジスタの値が‘０１０’で、第１レジスタの状態情報のうち受信可能地域状態と相関性があるメニューとして定義される。また、電話番号貯蔵メニューと着信ベル音貯蔵メニューは、それぞれ‘００１’と‘１００’の第２レジスタの値を有し、第１レジスタの状態情報のうちそれぞれメモリとサイレントモードと相関性があるメニューとして定義される。
【００６０】
このような方法によって、端末機に構成された全ての出力メニューに該当する各第２レジスタ値は、第１レジスタの状態情報との相関性によって定義される。前記各メニュー出力定義値は端末機の記憶装置に貯蔵され、必要な場合、前記ＭＰＵの制御によって第２レジスタにローディングされて前記第１レジスタの値と演算される方式で第２レジスタによって管理される。
【００６１】
図３は、本発明による動作のフローチャートであり、図４は、本発明の過程を実施する一例で、第１レジスタと第２レジスタの順次的な論理演算結果値を示す図である。以下、図１ないし図４を参照して、本発明の実施形態をより詳細に説明する。
【００６２】
使用者が最初に端末機の電源をオン（Ｓ１０）して前記キーパッドのショートカットキーを押して振動モードに設定した状態で、受信不可地域に位置していると仮定すると、端末機の状態を管理する第１レジスタの値は図１に示した現在値（‘１１０’）に設定される（Ｓ２１）。即ち、前記レジスタの最上のビット及び第２ビットが‘１’にフラッグ（ｆｌａｇ）されて現在端末機がサイレントモード（Ｓｌｉｎｅｔ  ｍｏｄｅ）状態で受信不可地域にあることを前記第１レジスタが管理する（Ｓ２１）。前記状態（Ｓ２１）で、使用者が端末機のベル音モードを振動モードに設定したことを記憶できなくて、端末機に構成されたメニューのうち着信ベル音設定メニューを選択した場合（Ｓ２２）、前記選択された出力メニューの定義値（‘１００’）が前記ＭＰＵの制御によって第２レジスタにローディングされる（Ｓ２３）。次に、前記選択されたメニュー（着信ベル音設定）が活性化されて前記表示装置に出力されることができるか否かが判断される（Ｓ３０）。
【００６３】
前記過程（Ｓ３０）をより詳細に説明すると、まず、端末機の現在状態情報を確認するために第１及び第２レジスタ値が前記ＭＰＵにローディングされ（Ｓ３１）、前記ＭＰＵは、前記ローディングされた第１レジスタ値（‘１１０’）と第２レジスタ値（‘１００’）を相応する各ビット別にＡＮＤ演算する（Ｓ３２）。前記演算（Ｓ３２）は、前記選択されて出力されるメニュー（着信ベル音設定）と端末機の状態が相関性があるか否かを確認するための過程である。図４に示すように、前記演算によって得られた結果値（‘１００’）から見ると、前記選択されたメニューは、端末機の現在状態中にサイレントモードと相関性があることが分かる。前記結果値（‘１００’）の各ビットをまたＯＲ演算する（Ｓ３３）。前記演算（Ｓ３３）は、前記選択されて出力されるメニューと端末機の状態が最小限１ヶ所でも相関性があるか否かを確認するための過程である。図４に示すように、前記演算によって得られた結果値（‘１’）から見ると、前記選択されたメニューは、端末機の状態と少なくとも１ヶ所に相関性があるということが確認できる。
【００６４】
次に、前記演算過程（Ｓ３２、Ｓ３３）から得た演算結果値（‘１’）が‘１’であるか否かを確認し、使用者によって選択されて出力されるメニュー（着信ベル音設定）と端末機の現在状態（サイレントモード、受信不可地域）と相関性があるか否かを判断する（Ｓ３４）。従って、前記過程（Ｓ３４）で使用者が選択した前記メニュー（着信ベル音設定）と端末機の現在状態のサイレントモードは相反した作動であるため、前記選択されたメニューは表示装置に出力されないように非活性化され、前記選択された非活性メニューと相関された警告メッセージ（‘Ｓｉｌｅｎｔ  ｍｏｄｅ’）が表示装置に出力される（Ｓ４１）。
【００６５】
しかしながら、図４に示すように、前記第１レジスタ値（‘１１０’）を有する端末機の現在状態で、端末機の構成メニューのうちメニュー出力定義値（‘００１’）を有するカメラ写真貯蔵または電話番号貯蔵の出力メニューが選択されると、前記選択されたメニューは、前記演算過程（Ｓ３２、Ｓ３３）を通じて‘０’の演算結果値を得る。これは、前記メニュー（カメラ写真貯蔵または電話番号貯蔵）は、第１レジスタの最下位ビットの状態情報（メモリ）と相関性があるだけで、サイレントモードまたは受信可能地域とは関係がないためである。従って、前記選択されたメニュー（カメラ写真貯蔵または電話番号貯蔵）は、端末機の現在状態（‘１１０’）と相関性がないため、活性化されて表示装置に出力されて表示される（Ｓ４２）。
【００６６】
一方、図２に示した端末機に構成された出力メニューのうち、メニュー出力定義値（‘０１０’）を有するインターネット接続メニュー及び通話連結メニューは、端末機の状態のうち第１レジスタの第２ビットに該当する通話可能可否に対する状態情報と相関性がある。従って、図３のような過程を通じて前記メニュー（インターネット接続または通話連結）が選択されて（Ｓ２２）、該当メニュー出力定義値（‘０１０’）が第２レジスタにローディングされ（Ｓ２３）、前記第２レジスタの値（‘０１０’）と第１レジスタ値（‘１１０’）が前記ＭＰＵにローディングされて（Ｓ３１）演算過程（Ｓ３０）を経ると、図４のような結果値（‘１’）を得ることができる。従って、選択されたメニューは、端末機の現在状態と相反する作動メニューとして相関性があるため、非活性され、警告メッセージ（‘Ｎｏ  ｓｅｒｖｉｃｅ  ａｒｅａ’）が表示装置に出力される（Ｓ４１）。
【００６７】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。
【００６８】
端末機の状態情報を管理する方法及び端末機の構成メニュー操作に際して、端末機の状態情報に応じて使用者が選択したメニューを活性化または非活性化して表示する方法を提供する。
【００６９】
移動通信端末機のメニュー表示方法は、第１レジスタ及び第２レジスタを管理する過程と、第１レジスタ値及び第２レジスタ値を論理演算して選択されたメニューの非活性化可否を判断する過程と、前記判断によって端末機の表示装置にメニューを表示する過程と、を含む。
【図面の簡単な説明】
【００７０】
【図１】本発明による端末機の状態を表現する３ビットから構成されたレジスタの一例を示す図である。
【図２】本発明による３ビットから構成されたメニュー出力定義レジスタの一例を示す図である。
【図３】本発明の動作のフローチャートである。
【図４】本発明の一例による第１レジスタと第２レジスタの順次な論理演算の結果値を示す図である。
【図５】従来技術による端末機のメニュー構成画面の一例を示す図である。
【図１】
2006191560.tif 000003
【図２】
2006191560.tif 000004
【図３】
2006191560.tif 000005
【図４】
2006191560.tif 000006
【図５】
2006191560.tif 000007